(57)【要約】【課題】物体に設けられた穴の内壁に設けられた取付溝に対するストップリングの取り付けを容易かつ迅速にすることができる取付治具を提供する。【解決手段】貫通孔用のストップリング６０を、筒状継手に設けられた貫通孔の内壁に設けられた取付溝に取り付ける際に用いられる取付治具７０であって、取付溝に取り付けられるべきストップリング６０を挿通可能な挿通孔部７３を有する筒状部材７１と、挿通孔部７３に挿入可能であり挿通孔部７３に配置されたストップリング６０を挿通孔部７３から貫通孔へと押し出し可能な軸状部材７２とから構成され、挿通孔部７３は、軸状部材７２の筒状部材７１への挿通方向の後方側に位置する後側開口７４と、挿通方向の前方側に位置する前側開口７５と、後側開口７４から前側開口７５に至る内周面７６とを有する。【選択図】図４
2020186568.tif 000002
【特許請求の範囲】
【請求項１】
穴用のストップリングを、物体に設けられた穴の内壁に設けられた取付溝に取り付ける際に用いられる取付治具であって、
前記取付溝に取り付けられるべき前記ストップリングを挿通可能な挿通孔部を有する筒状部材と、前記挿通孔部に挿入可能であり前記挿通孔部に配置された前記ストップリングを前記挿通孔部から前記穴へと押し出し可能な軸状部材とから構成され、
前記挿通孔部は、前記軸状部材の前記筒状部材への挿通方向の後方側に位置する後側開口と、前記挿通方向の前方側に位置する前側開口と、前記後側開口から前記前側開口に至る内周面とを有し、
前記後側開口の内径の大きさは、縮径前の前記ストップリングを緩挿可能な大きさに構成され、
前記前側開口の内径の大きさは前記穴の内径以下の大きさに構成され、
前記内周面は、前記後側開口から前記前側開口に至るまでに、前記後側開口における内径から前記前側開口における内径にまで縮径する先絞り面を有するように構成され、
前記軸状部材は、前記挿通孔部に配置された前記ストップリングに前記挿通方向の後方から当接可能な先端面が設けられ、前記軸状部材の前記挿通方向の前方への移動に伴って前記先端面によって前記ストップリングを前記先絞り面に沿って移動させることができるように構成され、
前記先端面の部分の外径の大きさは、前記前側開口の内径より小さく、かつ、前記ストップリングの縮径前後において常に前記ストップリングに当接することができる大きさに構成され、
前記軸状部材の長さは、前記先端面が前記前側開口よりも前記挿通方向の前方に突出し得る長さに構成されていることを特徴とする取付治具。
【請求項２】
前記先絞り面は、前記内周面のうち前記前側開口と前記後側開口との間から前記前側開口にかけて設けられ、
前記内周面のうち、前記先絞り面が設けられていない部分は、前記後側開口の内径と同一の大きさの内径に構成されている請求項１に記載の取付治具。
【請求項３】
少なくとも前記筒状部材又は前記軸状部材は、前記穴に対する前記前側開口の位置決めが可能な位置決め機構を有する請求項１又は２に記載の取付治具。
【請求項４】
前記位置決め機構は、前記先端面のうち前記ストップリングと当接する部分とは異なる位置において前記挿通方向の前方に向けて突出するように設けられた突出軸部から構成され、
前記突出軸部は、前記穴に直接的又は間接的に係合することによって、前記挿通孔部の軸心を前記穴の軸心と一致させるように構成されている請求項３に記載の取付治具。
【請求項５】
前記位置決め機構は、前記筒状部材のうち前記穴との対向面である前側端面において前記挿通方向の前方に向けて突出するように設けられた突出係合部から構成され、
前記突出係合部は、前記穴の内壁に係合することによって、前記挿通孔部の軸心を前記穴の軸心を一致させるように構成されている請求項３に記載の取付治具。
【請求項６】
前記先端面の、前記前側開口から前記挿通方向の前方への突出量を規定する突出量規定部を有する請求項１から５のいずれか一項に記載の取付治具。
【請求項７】
前記突出量規定部は、前記先絞り面、及び、前記軸状部材に設けられ前記先絞り面と当接可能な先細り面から構成されている請求項６に記載の取付治具。
【請求項８】
前記軸状部材のうち前記挿通方向の後ろ側に、前記後側開口の内径より大きな外径を有するフランジ部が設けられ、
前記突出量規定部は、前記筒状部材の前記挿通方向の後側端面、及び、前記フランジ部のうち前記後側端面と当接可能な前側端面から構成されている請求項６に記載の取付治具。
【請求項９】
請求項１から８のいずれか一項に記載の取付治具を用いた、ストップリングの取付方法であって、
鋼管軸心方向に隣り合わされた鋼管の互いに対向する鋼管端部の一方に設けられる筒状継手と、他方の鋼管端部に設けられ、前記筒状継手に嵌合可能な軸状継手と、
前記筒状継手と前記軸状継手とが互いに嵌合させられた状態のときに、前記筒状継手の筒状継手内周面に備えられた内向き溝部と、前記軸状継手の軸状継手外周面とに跨がる跨設位置に配置可能なキー部材と、を有し、
前記筒状継手に筒状継手外周面から前記内向き溝部内に連通する貫通孔が設けられ、前記貫通孔に、前記キー部材を前記跨設位置に固定する固定部材が取り付け可能に構成された鋼管連結機構において、
前記筒状継手と前記軸状継手とを嵌合させて、前記固定部材を前記貫通孔に取り付け、前記キー部材を前記跨設位置に固定した状態である鋼管連結機構に対して、
前記固定部材が前記貫通孔から脱落することを防止する穴用のストップリングを前記貫通孔に設けられた取付溝に取り付ける取付方法において、
前記取付治具を構成する筒状部材が有する挿通孔部に穴用のストップリングを挿通する工程と、
前記ストップリングが挿通された前記挿通孔部に、前記取付治具を構成する軸状部材を挿入する工程と、
前記筒状部材の前側開口を前記ストップリングが取り付けられるべき前記貫通孔に位置合わせする工程と、
前記軸状部材を前記筒状部材に対して押し込み、前記ストップリングを先絞り面に沿って移動させることによって縮径させた状態で前記前側開口から前記貫通孔内へと押し出し前記取付溝に取り付ける工程とを有することを特徴とする取付方法。
【発明の詳細な説明】
【技術分野】
【０００１】
本発明は、穴用のストップリングを、物体に設けられた穴の内壁に設けられた取付溝に取り付ける際に用いられる取付治具、及び、当該取付治具を用いた、ストップリングの取付方法に関する。
【背景技術】
【０００２】
従来から、穴用のストップリングを、物体に設けられた穴の内壁に設けられた取付溝に取り付けることが行われている。
【０００３】
例えば、穴用のストップリングは、物体としての、橋梁、港湾構造物、建築構造物などの基礎構造として広く用いられている鋼管杭にも用いられている。
【０００４】
詳述すると、このような鋼管杭は軟弱な地盤より下にある硬い地盤である支持層まで到達するように、数十メートルもの長さを立て込む必要がある。しかし、そのような長さの鋼管杭を運搬することは現実的ではないため、工場で一本あたり数メートル程度の鋼管を製造し、複数本を現地に納入して立て込みながら順次接続することが広く行われている。
【０００５】
その際、接続作業の省力化、工期短縮の観点から施工現場での鋼管杭の縦杭作業の効率化を図るために機械式の鋼管連結機構が用いられている。
【０００６】
特許文献１に示すように、機械式の鋼管連結機構は、上側鋼管の下部に溶接された雌型の筒状継手と下側鋼管の上部に溶接された雄型の軸状継手とを互いに嵌合させ、筒状継手の内向き周溝に収容された荷重伝達キーを、軸状継手に設けられた外向き周溝へと押し出し、内向き周溝に連通する貫通孔に螺合させた挿入固定ボルトによって、当該荷重伝達キーを内向き周溝と外向き周溝とに跨らせた位置において固定することによって、軸状継手と筒状継手とが抜け止め状態で連結される構造となっている。
【０００７】
この荷重伝達キーが、例えば鋼管杭の施工時の衝撃や振動によって、挿入固定ボルトが緩んで貫通孔から脱落すると軸状継手と筒状継手との抜け止め状態の連結が解除されてしまう虞がある。
【０００８】
そこで、物体としての鋼管杭に設けられた穴としての貫通孔に設けられた取付溝に、穴用のストップリングが取り付け可能に構成されている。
【０００９】
ストップリングは、貫通孔の内径よりも大きな外径を有する円の一部が切り欠かれた形状のステンレス鋼等の金属から構成された部材であり、その切欠両端にプライヤー等の取付工具を係合可能な係合穴が設けられている。
【００１０】
ストップリングの取付溝に対する取り付けは、取付工具を係合穴に係合させてストップリングを貫通孔の内径よりも縮径させ、その状態で取付溝に挿入することにより行われる。
【００１１】
取付工具による縮径をやめると、ストップリングはその弾性によって元の外径まで拡径しようとし取付溝の内部において固定される。これによって挿入固定ボルトは貫通孔から脱落することが防止される。
【先行技術文献】
【特許文献】
【００１２】
【特許文献１】特開２０１８−４８５４３号公報
【発明の概要】
【発明が解決しようとする課題】
【００１３】
しかし、ストップリングをすべての貫通孔の取付溝に対して取り付ける作業は非常に煩雑であり時間を要するものとなっている。
【００１４】
本発明は上記実情に鑑みてなされたものであって、物体に設けられた穴の内壁に設けられた取付溝に対するストップリングの取り付けを容易かつ迅速にすることができる取付治具、及び、当該取付治具を用いた、ストップリングの取付方法を提供することを目的とする。
【課題を解決するための手段】
【００１５】
上述の目的を達成するための、本発明の取付治具の特徴構成は、穴用のストップリングを、物体に設けられた穴の内壁に設けられた取付溝に取り付ける際に用いられる取付治具であって、前記取付溝に取り付けられるべき前記ストップリングを挿通可能な挿通孔部を有する筒状部材と、前記挿通孔部に挿入可能であり前記挿通孔部に配置された前記ストップリングを前記挿通孔部から前記穴へと押し出し可能な軸状部材とから構成され、前記挿通孔部は、前記軸状部材の前記筒状部材への挿通方向の後方側に位置する後側開口と、前記挿通方向の前方側に位置する前側開口と、前記後側開口から前記前側開口に至る内周面とを有し、前記後側開口の内径の大きさは、縮径前の前記ストップリングを緩挿可能な大きさに構成され、前記前側開口の内径の大きさは前記穴の内径以下の大きさに構成され、前記内周面は、前記後側開口から前記前側開口に至るまでに、前記後側開口における内径から前記前側開口における内径にまで縮径する先絞り面を有するように構成され、前記軸状部材は、前記挿通孔部に配置された前記ストップリングに前記挿通方向の後方から当接可能な先端面が設けられ、前記軸状部材の前記挿通方向の前方への移動に伴って前記先端面によって前記ストップリングを前記先絞り面に沿って移動させることができるように構成され、前記先端面の部分の外径の大きさは、前記前側開口の内径より小さく、かつ、前記ストップリングの縮径前後において常に前記ストップリングに当接することができる大きさに構成され、前記軸状部材の長さは、前記先端面が前記前側開口よりも前記挿通方向の前方に突出し得る長さに構成されている点にある。
【００１６】
筒状部材に挿通させた軸状部材を、挿通方向の前方へ移動させると、挿通孔部に収容されたストップリングは、先絞り面に沿って移動させられながら縮径させられ、縮径された状態のまま前側開口から穴へと押し出される。従来のように、プライヤー等の取付工具を用いてストップリングを縮径させたまま穴の内部の取付溝に慎重に配置するという煩雑な取り付け作業が不要となる。したがって、取付治具によると、ストップリングの取り付けを容易かつ迅速にすることができるようになった。
【００１７】
なお、筒状部材に対する軸状部材の押し込みは、当該軸状部材の挿通方向の後ろ側をハンマー等の工具によって打撃することによって容易に行われる。電力や圧力等の外部の動力が不要である。なお、ハンマー等の工具による打撃を容易とするために、軸状部材の挿通方向の後ろ側にフランジ部が設けられていてもよい。
【００１８】
通常、ストップリングは、取り付けられるべき穴や取付溝の寸法に対応したものが用いられる。従来は、プライヤー等の取付工具を用いてストップリングを取り付けていた。したがって、ストップリングは当該取付工具を用いる作業員の力の入れ具合に応じて適宜縮径されるため、本来取り付けられるべきものではないストップリングを誤って取り付けてしまう虞があった。
【００１９】
これに対して、取付溝に取り付けるべきストップリングに対応するように取付治具を設計することによって、取付溝に取り付けられるべきでないストップリングが誤って取り付けられてしまうような虞が回避される。
【００２０】
本発明においては、前記先絞り面は、前記内周面のうち前記前側開口と前記後側開口との間から前記前側開口にかけて設けられ、前記内周面のうち、前記先絞り面が設けられていない部分は、前記後側開口の内径と同一の大きさの内径に構成されていると好適である。
【００２１】
上述の構成によると、ストップリングの穴への押し出し前において、ストップリングは、その外周部が、筒状部材の内周面のうち先絞り面に当接する位置において、当該先絞り面と軸状部材の先端面とによって保持される。その状態で、取付治具と、ストップリングが取り付けられるべき穴との位置合わせができるため、ストップリングの取り付けの作業性がよい。
【００２２】
本発明においては、少なくとも前記筒状部材又は前記軸状部材は、前記穴に対する前記前側開口の位置決めが可能な位置決め機構を有すると好適である。
【００２３】
上述の構成によると、位置決め機構によって穴に対する前側開口の位置決めが容易に可能であるため、ストップリングを前側開口から穴へと確実に送り出すことができる。
【００２４】
本発明においては、前記位置決め機構は、前記先端面のうち前記ストップリングと当接する部分とは異なる位置において前記挿通方向の前方に向けて突出するように設けられた突出軸部から構成され、前記突出軸部は、前記穴に直接的又は間接的に係合することによって、前記挿通孔部の軸心を前記穴の軸心と一致させるように構成されていると好適である。
【００２５】
上述の構成によると、位置決め機構として構成される突出軸部を、穴に直接的又は間接的に係合させることによって、挿通孔部の軸心を穴の軸心に容易に一致させ、その状態でストップリングを筒状部材の前側開口から穴へと適切に押し出すことができる。
【００２６】
突出軸部が係合するのは、穴が底を有する場合は当該底であってもよいし、穴の内部に他の部材、例えば六角穴付きボルトが存在する場合は、当該六角穴であってもよい。その際、突出軸部は、その断面形状が六角穴に対応する六角形であってもよいし、六角穴に内接可能な円形であってもよい。
【００２７】
本発明においては、前記位置決め機構は、前記筒状部材のうち前記穴との対向面である前側端面において前記挿通方向の前方に向けて突出するように設けられた突出係合部から構成され、前記突出係合部は、前記穴の内壁に係合することによって、前記挿通孔部の軸心を前記穴の軸心を一致させるように構成されていると好適である。
【００２８】
上述の構成によると、位置決め機構として構成される突出係合部を、穴の内壁に係合させることによって、挿通孔部の軸心を穴の軸心に容易に一致させることができ、その状態でストップリングを筒状部材の前側開口から穴へと適切に押し出すことができる。
【００２９】
本発明においては、前記先端面の、前記前側開口から前記挿通方向の前方への突出量を規定する突出量規定部を有すると好適である。
【００３０】
上述の構成によると、突出量規定部によって、先端面の、前側開口から挿通方向の前方への突出量が規定される。当該突出量は、取付溝に至るまでストップリングを押し出すことができる量であることが好ましく、これによって、ストップリングが取付溝を超えて穴の内方へ押し込まれすぎる虞が回避される。なお、先細り面は、先絞り面に全面的に当接することができる形状であってもよいし、部分的に当接することができる形状であってもよい。
【００３１】
本発明においては、前記突出量規定部は、前記先絞り面、及び、前記軸状部材に設けられ前記先絞り面と当接可能な先細り面から構成されていると好適である。
【００３２】
上述の構成によると、ストップリングの穴に対する押し込み量を予め考慮して、軸状部材に筒状部材の先絞り面に当接する先細り面を設けることによって、先端面の、前側開口から挿通方向の前方への突出量を容易に規定することができる。なお、先細り面は、先絞り面に全面的に当接することができる形状であってもよいし、部分的に当接することができる形状であってもよい。
【００３３】
本発明においては、前記軸状部材のうち前記挿通方向の後ろ側に、前記後側開口の内径より大きな外径を有するフランジ部が設けられ、前記突出量規定部は、前記筒状部材の前記挿通方向の後側端面、及び、前記フランジ部のうち前記後側端面と当接可能な前側端面から構成されていると好適である。
【００３４】
上述の構成によると、ストップリングの穴に対する押し込み量を予め考慮して、軸状部材に筒状部材の挿通方向の後側端面に当接するフランジ部を設けることによって、先端面の、前側開口から挿通方向の前方への突出量を容易に規定することができる。なお、フランジ部は、後側端面に全面的に当接することができる形状であってもよいし、部分的に当接することができる形状であってもよい。
【００３５】
上述の目的を達成するための、本発明の取付方法の特徴構成は、上述のいずれかの特徴構成を有する取付治具を用いた、ストップリングの取付方法であって、鋼管軸心方向に隣り合わされた鋼管の互いに対向する鋼管端部の一方に設けられる筒状継手と、他方の鋼管端部に設けられ、前記筒状継手に嵌合可能な軸状継手と、前記筒状継手と前記軸状継手とが互いに嵌合させられた状態のときに、前記筒状継手の筒状継手内周面に備えられた内向き溝部と、前記軸状継手の軸状継手外周面とに跨がる跨設位置に配置可能なキー部材と、を有し、前記筒状継手に筒状継手外周面から前記内向き溝部内に連通する貫通孔が設けられ、前記貫通孔に、前記キー部材を前記跨設位置に固定する固定部材が取り付け可能に構成された鋼管連結機構において、前記筒状継手と前記軸状継手とを嵌合させて、前記固定部材を前記貫通孔に取り付け、前記キー部材を前記跨設位置に固定した状態である鋼管連結機構に対して、前記固定部材が前記貫通孔から脱落することを防止する穴用のストップリングを前記貫通孔に設けられた取付溝に取り付ける取付方法において、前記取付治具を構成する筒状部材が有する挿通孔部に穴用のストップリングを挿通する工程と、前記ストップリングが挿通された前記挿通孔部に、前記取付治具を構成する軸状部材を挿入する工程と、前記筒状部材の前側開口を前記ストップリングが取り付けられるべき前記貫通孔に位置合わせする工程と、前記軸状部材を前記筒状部材に対して押し込み、前記ストップリングを先絞り面に沿って移動させることによって縮径させた状態で前記前側開口から前記貫通孔内へと押し出し前記取付溝に取り付ける工程とを有する点にある。
【００３６】
上述の構成によると、従来のように、プライヤー等の取付工具を用いてストップリングを縮径させたまま穴の内部の取付溝に慎重に配置するという煩雑な取り付け作業が不要となる。したがって、取付治具によると、ストップリングの取り付けを容易かつ迅速にすることができるようになった。
【図面の簡単な説明】
【００３７】
【図１】鋼管杭を一部切断して示す説明図。
【図２】鋼管杭に設けられている荷重伝達キーの説明図。
【図３】ストップリングの説明図。
【図４】本発明に係る取付治具の説明図。
【図５】本発明に係る取付治具を用いたストップリングの取り付けの説明図。
【図６】本発明に係る取付治具を用いたストップリングの取り付けの説明図。
【図７】本発明の別実施形態に係る取付治具の説明図。
【図８】本発明の別実施形態に係る取付治具の説明図。
【００３８】
以下に本発明に係るストップリングの取付治具、及び、当該取付治具を用いた、ストップリングの取付方法の実施の形態を図面に基づいて説明する。
【００３９】
まず、本発明に係るストップリングの取付治具を、図１に示された鋼管杭Ｐに取り付けられるストップリングに対して用いる場合を例に説明する。
【００４０】
鋼管杭Ｐは、鋼管Ｓを抜け止め状態で、かつ、回り止め状態で連結する鋼管連結機構Ｊを備えている。
【００４１】
鋼管連結機構Ｊは、筒状継手１０と、軸状継手２０と、回転抑止キー３０と、荷重伝達キー４０とを備えている。
【００４２】
筒状継手１０及び軸状継手２０は、鋼管Ｓの上端及び下端にそれぞれ溶接されている。
【００４３】
回転抑止キー３０は、筒状継手１０と軸状継手２０とが互いに嵌合させられた状態であるときに、筒状継手１０に備えられた筒側切欠凹部１１と、軸状継手２０に備えられた軸側切欠凹部２１から構成されるキー溝部に配置されることによって、筒状継手１０と軸状継手２０との相対回転を防止するための部材である。
【００４４】
荷重伝達キー４０は、筒状継手１０と軸状継手２０とが互いに嵌合させられた状態であるときに、筒状継手１０に備えられた内向き溝部１２と、軸状継手２０に備えられた外向き溝部２２から構成されるキー溝部に配置されることによって、筒状継手１０と軸状継手２０との抜け止め防止するための部材である。本実施形態における荷重伝達キー４０が、本発明に係るキー部材である。
【００４５】
図２に示すように、内向き溝部１２の溝深さは、荷重伝達キー４０を収容可能な深さに構成されている。外向き溝部２２の溝深さは、荷重伝達キー４０の厚みの半分程度の深さに構成されている。
【００４６】
筒状継手１０に、その外周面から内向き溝部１２内に連通する貫通孔１３が設けられている。本実施形態における貫通孔１３が本発明に係る穴である。
【００４７】
貫通孔１３には、後述する固定部材５０が取り付け可能に構成されている。固定部材５０には、当該固定部材５０を貫通孔１３に取り付ける際に、六角レンチ等の工具が嵌合可能な六角穴５１が備えられている。
【００４８】
荷重伝達キー４０は、貫通孔１３に取り付けられた固定部材５０によって、内向き溝部１２に収容された収容位置から、内向き溝部１２と外向き溝部２２とに跨った跨設位置に押し込まれることによって、筒状継手１０と軸状継手２０との抜け止めを可能にする。
【００４９】
図３に示すように、貫通孔１３の内壁には、筒状継手１０の外周面に近い箇所に取付溝１４が形成されている。取付溝１４には、穴用のストップリング６０が取り付け可能となっている。
【００５０】
当該ストップリング６０を、当該取付溝１４に取り付ける際に、本発明に係る取付治具７０が用いられる。
【００５１】
図４に示すように、取付治具７０は、作業員が把持できる程度の大きさかつ重さの、筒状部材７１と軸状部材７２とから構成されている。筒状部材７１及び軸状部材７２は、炭素鋼を切削加工することによって製作されている。
【００５２】
筒状部材７１は、直径及び長さがともに数十ｍｍ程度の円柱体から構成され、当該円柱体の軸心位置にストップリング６０を挿通可能な挿通孔部７３が設けられている。
【００５３】
挿通孔部７３は、軸状部材７２の筒状部材７１への挿通方向Ｄの後方側に位置する後側開口７４と、挿通方向Ｄの前方側に位置する前側開口７５と、後側開口７４から前側開口７５に至る内周面７６とを有している。
【００５４】
内周面７６は、その大半が後側開口７４の内径ＩＤ７４と同一の大きさに構成されているが、内周面７６のうち前側開口７５に近い箇所には後側開口７４における内径ＩＤ７４から前側開口７５における内径ＩＤ７５にまで縮径する先絞り面７７が設けられている。
【００５５】
ストップリング６０は、貫通孔１３の取付溝１４に取り付けられる際に縮径される。後側開口７４の内径ＩＤ７４は、その縮径前におけるストップリング６０を挿通孔部７３の内部に緩挿可能なように、ストップリング６０の外径ＯＤ６０以上の大きさに構成されている。
【００５６】
前側開口７５の内径ＩＤ７５の大きさは貫通孔１３の内径ＩＤ１３以下の大きさに構成されている。
【００５７】
軸状部材７２は、筒状部材７１の挿通孔部７３を移動し得る軸部７８と、挿通方向Ｄの後方側に設けられたフランジ部７９とを有している。
【００５８】
軸部７８は、その大部分が内周面７６の内径ＩＤ７６より僅かに小さい外径ＯＤ７８を有しており、挿通孔部７３への挿通方向Ｄの前方側に、挿通孔部７３に挿通されたときに挿通孔部７３に配置されたストップリング６０に挿通方向Ｄの後方から当接可能な先端面８０と、挿通孔部７３の先絞り面７７と当接可能な先細り面８１と、が設けられている。
【００５９】
軸状部材７２は、先細り面８１の最も細い部分の外径、すなわち、先端面８０の部分の外径ＯＤ８０の大きさが前側開口７５における内径ＩＤ７５よりも小さく、かつ、ストップリング６０の縮径前後において常にストップリング６０に当接することができる大きさに構成されている。
【００６０】
フランジ部７９は、筒状部材７１に対して軸状部材７２を押し込む際に、ハンマー等の工具による打撃を容易にするために設けられている。また、フランジ部７９があることにより、筒状部材７１に対して軸状部材７２の挿通方向を誤ることが防止される。
【００６１】
通常、ストップリング６０は、取り付けられるべき貫通孔１３及び取付溝１４の寸法に対応したものが用いられる。このストップリング６０に対応するように取付治具７０を設計することによって、当該貫通孔１３及び取付溝１４に取り付けられるべきでないストップリングが誤って取り付けられてしまうような虞が回避される。
【００６２】
軸状部材７２は、筒状部材７１の挿通孔部７３に最も押し込んだとき、すなわち先細り面８１が挿通孔部７３の先絞り面７７に当接したときに、先端面８０が筒状部材７１の前側開口７５から挿通方向Ｄの前方への僅かに突出し得るように構成されている。
【００６３】
先端面８０の筒状部材７１の前側開口７５から挿通方向Ｄの前方への突出量は、先端面８０によって筒状部材７１の前側開口７５から、筒状継手１０の貫通孔１３へと押し出されるストップリング６０が、ちょうど取付溝１４に対応する深さまで押し込まれるだけの量に設定されている。ストップリング６０が取付溝１４を超えて貫通孔１３の内方へ押し込まれすぎる虞が回避されている。
【００６４】
この突出量は、先絞り面７７及び先細り面８１の形状によって予め規定される。したがって、本実施形態における先絞り面７７と、先細り面８１とが、本発明に係る突出量規定部を構成する。その際、先細り面８１と先絞り面７７とは、互いに全面的に当接することができる形状であってもよいし、部分的に当接することができる形状であってもよい。
【００６５】
図５及び図６に示すように、軸状部材７２の軸部７８の長さは、先細り面８１が先絞り面７７に当接したときであっても、筒状部材７１の、上記挿通方向Ｄにおける後側端面８２と、フランジ部７９のうち後側端面８２に対向する前側端面８３とが、ある程度の距離をもって離間するような長さに構成されていることが好ましい。
【００６６】
上述の構成により、筒状部材７１に挿通させた軸状部材７２を、軸状部材７２の挿通方向Ｄの前方へ押し込むと、挿通孔部７３に収容されたストップリング６０は、先絞り面７７に沿って移動させられながら縮径させられ、縮径された状態のまま前側開口７５から貫通孔１３の内部へと押し出される。
【００６７】
軸状部材７２は、貫通孔１３に対する前側開口７５の位置決めを可能とするために位置決め機構を有している。
【００６８】
当該位置決め機構は、先端面８０の中心において、上記挿通方向Ｄの前方に向けて突出するように設けられた突出軸部８４から構成されている。
【００６９】
突出軸部８４は、固定部材５０の六角穴５１に係合可能な大きさに構成されている。なお、突出軸部８４の断面形状は、六角穴５１に対応する六角形であってもよいし、六角穴５１に内接可能な円形であってもよい。先端の角部は面取りされている。
【００７０】
さらに、突出軸部８４は、軸状部材７２の先端面８０が、筒状部材７１に収容されたストップリング６０に当接された状態であるときに、前側開口７５から、上記挿通方向Ｄの前方へ突出し、筒状部材７１が、ストップリング６０が取り付けられるべき貫通孔１３に対応させられた位置にあるときに、貫通孔１３の内部に螺合されている固定部材５０の六角穴５１に挿入され得る長さであって、軸状部材７２の先端面８０が前側開口７５から挿通方向Ｄの前方へ最も突出したときであっても、六角穴５１の底部に当接しない長さに構成されている。
【００７１】
突出軸部８４の軸心を六角穴５１の軸心と一致させることによって、軸状部材７２の軸部７８の軸心、軸状部材７２が挿入されている筒状部材７１の軸心、筒状部材７１の前側開口７５の軸心とが互いに一致し、ストップリング６０を前側開口７５に対して位置決めされた貫通孔１３の内部へと適切に押し出すことができる。
【００７２】
つぎに、本発明に係る取付治具７０を用いた、ストップリング６０の取付方法を、図１に示される鋼管杭Ｐに取り付けられるストップリング６０に対して使用する場合について説明する。
【００７３】
鋼管連結機構Ｊによる鋼管杭Ｐの連結にあたり、まず、上側の鋼管杭Ｐの筒状継手１０と下側の鋼管杭Ｐの軸状継手２０とを適切に嵌合させる。つぎに、筒状継手１０の貫通孔１３に固定部材５０を螺合し、荷重伝達キー４０を、筒状継手１０の内向き溝部１２と、軸状継手２０の外向き溝部２２とに跨るように配置させる。この固定部材５０の抜け止めを防止するにストップリング６０が取り付けられる。
【００７４】
当該ストップリング６０の取付方法においては、まず、取付治具７０の筒状部材７１から軸状部材７２を抜き出した状態で、筒状部材７１の挿通孔部７３に、貫通孔１３の取付溝１４に取り付けるべきストップリング６０を配置する。
【００７５】
ストップリング６０が配置された挿通孔部７３に対して軸状部材７２を挿入し、ストップリング６０を筒状部材７１の先絞り面７７と軸状部材７２の先端面８０との間で保持する。
【００７６】
そして、当該取付治具７０を、当該ストップリング６０が取り付けられるべき貫通孔１３に対して六角穴５１に突出軸部８４を挿入することによって位置合わせする。
【００７７】
取付治具７０の貫通孔１３に対する位置合わせ状態を保持したまま、フランジ部７９をハンマー等の工具によって打撃して軸状部材７２を筒状部材７１に対して押し込む。
【００７８】
このとき、ストップリング６０は、先絞り面７７に沿って縮径させられながら移動し、前側開口７５から貫通孔１３の内部へと押し出される。
【００７９】
先端面８０の筒状部材７１の前側開口７５から挿通方向Ｄの前方への突出量が規定されていることから、押し出されたストップリング６０は、取付溝１４において縮径前の状態にまで拡径し、その位置に適切に取り付けられる。
【００８０】
このような作業を筒状継手１０に設けられているすべての貫通孔１３に対して実行することで、荷重伝達キー４０を固定する固定部材５０が貫通孔１３から脱落することがストップリング６０によって防止される。したがって、筒状継手１０と軸状継手２０との連結が解除されてしまう虞がなくなる。
【００８１】
上述した実施形態においては、筒状部材７１が円柱体から構成される場合について説明したが、この限りではない。筒状部材７１は角柱体から構成されてもよい。
【００８２】
上述した実施形態においては、軸状部材７２がフランジ部７９を有する場合について説明したが、この限りではない。軸状部材７２はフランジ部７９を有していなくてもよい。
【００８３】
上述した実施形態においては、先絞り面７７と先細り面８１とが突出量規定部を構成する場合について説明したが、この限りではない。
【００８４】
図７に示すように、軸状部材７２の軸部７８に設けられている先細り面８１を、筒状部材７１の挿通孔部７３の先絞り面７７に接触しないように構成し、筒状部材７１の後側端面８２とフランジ部７９の前側端面８３とが当接するように構成してもよい。なお、フランジ部７９の前側端面８３は、後側端面８２に全面的に当接することができる形状であってもよいし、部分的に当接することができる形状であってもよい。
【００８５】
上述した実施形態においては、位置決め機構に関して、軸状部材７２に設けられた突出軸部８４が、貫通孔１３に螺合されている固定部材５０の六角穴５１に係合することよって、取付治具７０と貫通孔１３の位置決めがされる構成について説明したが、この限りではない。
【００８６】
図８に示すように、位置決め機構は、筒状部材７１のうち貫通孔１３との対向面である前側端面において、上記挿通方向Ｄの前方に向けて突出するように設けられた突出係合部８５から構成されてもよい。突出係合部８５は、貫通孔１３の内壁に係合することによって、前側開口７５の軸心と、貫通孔１３の軸心とを一致させる。これにより取付治具７０の位置合わせが可能となる。なお、突出係合部８５は、前側開口７５の全周にわたって設けられていてもよいし、前側開口７５の一部に設けられていてもよい。
【００８７】
また、上述した実施形態においては、本発明にストップリングの取付治具が鋼管杭Ｐに取り付けられるストップリング６０に対して用いられ、また、当該取付治具を用いた、ストップリングの取付方法が鋼管杭Ｐに取り付けられるストップリング６０に対して実行される場合について説明したが、この限りではない。
【００８８】
穴用のストップリング６０を、物に設けられた有底の又は貫通した穴の内壁に設けられた取付溝に対して取り付ける際に、本発明に係るストップリングの取付治具が用いられ、当該取付治具を用いた、ストップリングの取付方法が使用される。
【００８９】
上述した実施形態は、いずれも本発明の一例であり、該記載により本発明が限定されるものではなく、各部の具体的構成は本発明の作用効果が奏される範囲で適宜変更設計可能である。
【符号の説明】
【００９０】
１０      ：筒状継手（物体）
１２      ：内向き溝部
１３      ：貫通孔（穴）
１４      ：取付溝
２０      ：軸状継手
５０      ：固定部材
５１      ：六角穴
６０      ：ストップリング
７０      ：取付治具
７１      ：筒状部材
７２      ：軸状部材
７３      ：挿通孔部
７４      ：後側開口
７５      ：前側開口
７６      ：内周面
７７      ：先絞り面
７８      ：軸部
７９      ：フランジ部
８０      ：先端面
８１      ：先細り面
８２      ：後側端面
８３      ：前側端面
８４      ：突出軸部
８５      ：突出係合部
Ｄ        ：挿通方向
【図１】
2020186568.tif 000003
【図２】
2020186568.tif 000004
【図３】
2020186568.tif 000005
【図４】
2020186568.tif 000006
【図５】
2020186568.tif 000007
【図６】
2020186568.tif 000008
【図７】
2020186568.tif 000009
【図８】
2020186568.tif 000010